(57)【要約】【課題】アルカリ蓄電池を充電状態で待機させる場合に、自己放電を抑制し、かつメモリ効果の発生を抑制する。【解決手段】アルカリ蓄電池の充放電制御方法は、負荷機器への電力供給を行う前に、アルカリ蓄電池を充放電する方法であって、（i）充電状態が、満充電状態の９０％を超える第１充電状態に達するまでアルカリ蓄電池を充電する工程、および（ii）充電を終了してから予め定められた時間以内に、充電状態が、第１充電状態よりも低く、かつ満充電状態の５０％以上である第２充電状態になるまでアルカリ蓄電池を強制放電する工程を含む。【選択図】図１
2012135114.tif 000002
【特許請求の範囲】
【請求項１】
負荷機器への電力供給を行う前に、アルカリ蓄電池を充放電する方法であって、
（i）充電状態が、満充電状態の９０％を超える第１充電状態に達するまで前記アルカリ蓄電池を充電する工程、および
（ii）前記充電を終了してから予め定められた時間以内に、充電状態が、前記第１充電状態よりも低く、かつ満充電状態の５０％以上である第２充電状態になるまで前記アルカリ蓄電池を強制放電する工程、を含むアルカリ蓄電池の充放電制御方法。
【請求項２】
前記第１充電状態が、満充電状態の９５％以上である、請求項１に記載のアルカリ蓄電池の充放電制御方法。
【請求項３】
前記第２充電状態が、満充電状態の６５％以上でかつ８５％以下である、請求項１または２に記載のアルカリ蓄電池の充放電制御方法。
【請求項４】
さらに、（iii）前記強制放電を終了してから前記アルカリ蓄電池による前記負荷機器への電力供給が行われるまでの間、前記アルカリ蓄電池を待機させる工程を含む、請求項１〜３のいずれか１項に記載のアルカリ蓄電池の充放電制御方法。
【請求項５】
前記工程(iii)において、前記待機中に、前記アルカリ蓄電池を微小電流で充電し、前記アルカリ蓄電池の自己放電を補う、請求項４に記載のアルカリ蓄電池の充放電制御方法。
【請求項６】
前記工程(iii)において、前記待機中に、定期的に前記アルカリ蓄電池を充電し、前記アルカリ蓄電池の自己放電を補う、請求項４に記載のアルカリ蓄電池の充放電制御方法。
【請求項７】
前記アルカリ蓄電池がニッケル水素蓄電池である、請求項１〜６のいずれか１項に記載のアルカリ蓄電池の充放電制御方法。
【請求項８】
前記アルカリ蓄電池がバックアップ電源である、請求項１〜７のいずれか１項に記載のアルカリ蓄電池の充放電制御方法。
【請求項９】
前記アルカリ蓄電池が、プラグインハイブリッド電気自動車用の電源である、請求項１〜７のいずれか１項に記載のアルカリ蓄電池の充放電制御方法。
【請求項１０】
負荷機器への電力供給を行う前に、アルカリ蓄電池を充放電するシステムであって、
前記アルカリ蓄電池と、
前記アルカリ蓄電池の充放電を制御する制御ユニットと、を具備し、
前記制御ユニットは、前記負荷機器への電力供給を行う前に、
（i）充電状態が、満充電状態の９０％を超える第１充電状態に達するまで前記アルカリ蓄電池を充電し、
（ii）前記充電を終了してから予め定められた時間以内に、充電状態が、前記第１充電状態よりも低く、かつ満充電状態の５０％以上である第２充電状態になるまで前記アルカリ蓄電池を強制放電する、充放電制御システム。
【請求項１１】
さらに、前記アルカリ蓄電池の充電電流および放電電流を検出する電流センサを含み、
前記制御ユニットは、前記電流センサにより検出された電流の積算値に基づいて、前記アルカリ蓄電池の充電状態を判定する、請求項１０記載の充放電制御システム。
【請求項１２】
さらに、前記アルカリ蓄電池の端子間電圧を検出する電圧センサを含み、
前記制御ユニットは、前記電圧センサにより検出された電圧値に基づいて、前記アルカリ蓄電池の充電状態を判定する、請求項１０記載の充放電制御システム。
【発明の詳細な説明】
【技術分野】
【０００１】
本発明は、アルカリ蓄電池の充放電制御方法および充放電制御システムに関し、具体的には、負荷機器に電力供給する前の充放電制御に関する。
【背景技術】
【０００２】
ニッケルカドミウム蓄電池、ニッケル水素蓄電池などのアルカリ蓄電池は、比較的安価であり、出力が大きく、大電流での放電に適しているため、様々な用途に利用されている。ニッケルカドミウム蓄電池は、正極材料として水酸化ニッケルなどのニッケル化合物を用い、負極材料としてカドミウムを用いる。一方、ニッケル水素蓄電池は、正極材料には、ニッケルカドミウム蓄電池と同様にニッケル化合物を用いるが、負極材料には、水素の吸蔵および放出が可能な水素吸蔵合金を用いる。ニッケル水素蓄電池は、ニッケルカドミウム蓄電池よりもエネルギー密度が高く、環境への負荷も小さいため、ニッケル水素蓄電池の需要は様々な用途で拡大しつつある。例えば、コードレス機器の電源、非常用電源などの産業用電源、ハイブリッド電気自動車（ＨＥＶ）、プラグインハイブリッド電気自動車（ＰＨＥＶ）、電気自動車（ＥＶ）などの車両用電源、無停電電源装置（ＵＰＳ）などのバックアップ電源として、ニッケル水素蓄電池が注目されている。
【０００３】
しかし、用途が拡大するにつれて、用途に特有の問題も生じる。例えば、バックアップ電源は、非常時に代替電源として用いられるものであるため、十分な放電容量を常に確保しておく必要がある。ニッケルカドミウム蓄電池を用いたバックアップ電源では、トリクル充電が採用され、これにより常に電池に微小な充電電流を供給している。しかし、トリクル充電を、ニッケル水素蓄電池に採用すると、電池容量が大きく低下する場合があり、十分な放電容量を確保できない場合がある。これは、トリクル充電中に、ニッケル水素蓄電池が過充電状態になるためである。過充電状態では、負極に含まれる水素吸蔵合金の酸化が進行して水素吸蔵能力が低下する。更に、水素吸蔵合金の酸化に伴って電解液が消費され、内部抵抗が増大する。
【０００４】
そこで、バックアップ電源用のニッケル水素蓄電池に適した充電方法に関し、様々な提案がなされている。例えば、電池を間欠充電しながら、その充電休止中に自己放電を算出し、得られた自己放電量に基づいてニッケル水素蓄電池の充電を制御する方法が挙げられる（特許文献１）。また、充電時にパルス充電と休止を繰り返すことにより、設定電圧まで間欠充電する方法が提案されている（特許文献２）。間欠充電とは、一定期間充電を実施したのち、放置し、放置期間の自己放電分を再び充電して補い、電池を常に満充電状態に近い状態で維持する方法である。
【０００５】
また、正極活物質に水酸化ニッケルを用いるアルカリ蓄電池では、充放電の方法によっては、メモリ効果が生じる。この場合、アルカリ蓄電池の残存容量に対する起電力が低下し、容量が見かけ上減少する。メモリ効果は、例えば、充電状態（state of charge：ＳＯＣ）がほぼ０％である完全放電状態、またはＳＯＣがほぼ１００％である完全充電状態まで充放電を行わないサイクルを繰り返すことにより生じる。
【０００６】
メモリ効果の発生を抑制するためには、幅広いＳＯＣ領域で充放電を行うことが有効である。しかし、バックアップ電源は、常時、負荷機器への電力供給に備えて、高いＳＯＣで待機させるため、完全放電を行う機会が少なく、メモリ効果が発生しやすい。ＨＥＶ、ＰＨＥＶなどの電源用途でも、車両への電力供給を開始するまでアルカリ蓄電池を待機させることが多く、高ＳＯＣまで充電する場合には、バックアップ電源と同様の問題が生じる。
【先行技術文献】
【特許文献】
【０００７】
【特許文献１】特開２０００−１５００００号公報
【特許文献２】特開平１１−３０７１３４号公報
【発明の概要】
【発明が解決しようとする課題】
【０００８】
メモリ効果は、完全充電や完全放電を行わず、狭い電圧範囲で充放電を繰り返すことにより生じると考えられてきた。しかし、本発明者らは、電池を完全充電するとともに、負荷機器に電力供給するまで、満充電状態かそれに近い高いＳＯＣで、電池を待機させる場合にも、メモリ効果が生じることを見出した。そのため、特許文献１および２のように、電池を、常に満充電状態またはそれに近い高いＳＯＣで待機させると、自己放電が進行しやすいだけでなく、メモリ効果により、正極の電位が高くなり、早い時期に充電制御電圧に達するため、充電できる量が減少し、十分な放電容量を確保できなくなる場合がある。
【課題を解決するための手段】
【０００９】
本発明は、上記課題を鑑みてなされたものであり、アルカリ蓄電池を充電状態で待機させても、アルカリ蓄電池の自己放電の進行を抑制し、かつ、メモリ効果の発生を抑制することを目的とする。
【００１０】
本発明の一局面は、負荷機器への電力供給を行う前に、アルカリ蓄電池を充放電する方法であって、（i）充電状態が、満充電状態の９０％を超える第１充電状態に達するまでアルカリ蓄電池を充電する工程、および（ii）充電を終了してから予め定められた時間以内に、充電状態が、第１充電状態よりも低く、かつ満充電状態の５０％以上である第２充電状態になるまでアルカリ蓄電池を強制放電する工程、を含むアルカリ蓄電池の充放電制御方法に関する。
【００１１】
本発明の他の一局面は、負荷機器への電力供給を行う前に、アルカリ蓄電池を充放電するシステムであって、アルカリ蓄電池と、アルカリ蓄電池の充放電を制御する制御ユニットと、を具備し、制御ユニットは、負荷機器への電力供給を行う前に、（i）充電状態が、満充電状態の９０％を超える第１充電状態に達するまでアルカリ蓄電池を充電し、（ii）充電を終了してから予め定められた時間以内に、充電状態が、第１充電状態よりも低く、かつ満充電状態の５０％以上である第２充電状態になるまでアルカリ蓄電池を強制放電する、充放電制御システムに関する。
【発明の効果】
【００１２】
本発明によれば、ある程度高いＳＯＣでアルカリ蓄電池を待機させても、自己放電を抑制でき、かつ、メモリ効果の発生を抑制できる。
【図面の簡単な説明】
【００１３】
【図１】本発明の一実施形態に係るアルカリ蓄電池の充放電制御方法を説明するためのフローチャートである。
【図２】本発明の一実施形態に係るアルカリ蓄電池の充放電制御方法を実施するための充放電制御システムのブロック図である。
【図３】本発明の一実施形態に係るアルカリ蓄電池の充放電制御方法を説明するための別のフローチャートである。
【発明を実施するための形態】
【００１４】
本発明の充放電制御方法は、負荷機器への電力供給を行う前に、アルカリ蓄電池を充放電する方法であって、（i）充電状態（ＳＯＣ）が、満充電状態の９０％を超える第１充電状態（第１ＳＯＣ）に達するまでアルカリ蓄電池を充電する工程、および（ii）充電を終了してから予め定められた時間以内に、ＳＯＣが、第１ＳＯＣよりも低く、かつ満充電状態の５０％以上である第２充電状態（第２ＳＯＣ）になるまで前記アルカリ蓄電池を強制放電する工程を有する。
【００１５】
つまり、本発明では、負荷機器への電力供給を行う前のアルカリ蓄電池のＳＯＣを、９０％を超える高い第１ＳＯＣではなく、強制放電により、低い第２ＳＯＣに調整する。このような充放電を行うことにより、負荷機器に電力供給を開始するまでに、自己放電が進行するのを効果的に抑制できるとともに、メモリ効果が生じるのを抑制できる。強制放電の終了後、すぐにアルカリ蓄電池から負荷機器への電力供給を行ってもよい。本発明では、自己放電およびメモリ効果を有効に抑制できるため、負荷機器への電力供給を行うまで、所定期間、アルカリ蓄電池を待機させる場合に有利である。そのため、本発明の充放電制御方法は、さらに、（iii）強制放電を終了してからアルカリ蓄電池による負荷機器への電力供給が行われるまでの間、アルカリ蓄電池を待機させる工程を含んでもよい。
【００１６】
なお、メモリ効果が抑制されるのは、次のような理由によるものと考えられる。
アルカリ蓄電池の充放電中には、正極材料である水酸化ニッケルは、正極材料を保持する正極芯材を介して、電子を授受する。充電の場合、正極材料内では、ニッケルに水素が結合していない状態となり、ニッケルの価数が３価のオキシ水酸化ニッケルが形成される。放電の場合、ニッケルに水素が結合した状態となり、正極材料内にニッケルの価数が２価のβ−水酸化ニッケルが形成される。放電反応においては、芯材から電子が供給される。そのため、水素に結合したニッケルがスムーズに酸化または還元されることによって、ニッケルに結合した水素が正極材料中を容易に拡散できる。
【００１７】
しかし、充放電停止後、アルカリ蓄電池を待機させた状態では、芯材からの電子の供給がないため、水素の拡散は、濃度勾配による拡散だけとなり、放電中に比べて、拡散速度が非常に遅くなる。よって、待機中は、電子および水素の授受が、正極材料とアルカリ電解液との界面だけで行われる。この界面では、オキシ水酸化ニッケルは、電解液中の水酸化物イオンによる水素の引き抜きにより還元され、β−水酸化ニッケルに変換される。その結果、上記界面において、β−水酸化ニッケルが凝集した状態となり、正極材料の表面における水素の拡散性が低くなる。これが電池の待機中に発生するメモリ効果である。満充電状態またはそれに近い高いＳＯＣで電池を待機させるほど、上記界面におけるβ−水酸化ニッケルの量は多くなるため、正極活物質の表面には、緻密なβ−水酸化ニッケル層が形成される。そのため、待機中に、メモリ効果が発生する上、メモリ効果の解消も難しくなる。
【００１８】
これに対し、本発明では、負荷機器への電力供給を行う前に、アルカリ蓄電池を、第１ＳＯＣまで充電した後で、強制放電により、アルカリ蓄電池の充電状態を第２ＳＯＣに低下させる。そのため、正極材料における水素の拡散性が高まり、正極材料の表面に緻密なβ−水酸化ニッケル層が形成されるのを抑制できる。よって、負荷機器への電力供給を行うまでアルカリ蓄電池を待機させる場合であっても、メモリ効果が生じにくくなる。
【００１９】
第１ＳＯＣは、満充電状態の９０％を超え、好ましくは、９５％以上、さらに好ましくは９８％以上である。第２ＳＯＣは、第１ＳＯＣよりも低く、具体的には、満充電状態の９０％以下、好ましくは８５％以下、さらに好ましくは８２％以下である。また、第２ＳＯＣは、満充電状態の５０％以上、好ましくは６５％以上、さらに好ましくは６８％以上である。これらの上限および下限の値は、任意に組み合わせることができる。第２ＳＯＣがこのような範囲である場合、自己放電の進行を抑制できるとともに、メモリ効果の発生を抑制できる。結果として、アルカリ蓄電池から負荷機器への電力供給を行うまでの間に、見かけの放電容量が低下するのを抑制して、十分な放電容量を長期間確保することができ、ユーザーの利便性を向上させることができる。
【００２０】
第２ＳＯＣが、９０％を超えると、正極の水酸化ニッケルの表面に水素欠陥が十分に形成されなくなるため、水素の移動が制限され、水素の拡散性が低下する。これにより、負荷機器への電力供給を開始するまでの間に、水酸化ニッケルの表面に緻密なβ−水酸化ニッケル層が形成される。そのため、メモリ効果が生じ、再度充電しても、当初の充電容量まで充電させることが困難となる。また、自己放電が大きくなる場合がある。
【００２１】
第２ＳＯＣが、５０％より低い場合には、水酸化ニッケル内の水素欠陥が少なすぎて、水素がスムーズに移動できなくなるため、水素の拡散性が低下する。そのため、第２ＳＯＣが９０％を超える場合と同様に、メモリ効果が生じ、当初の充電容量を確保するのが困難となる。その結果、バックアップ電源やＰＨＥＶ用の電源などとして用いる場合に、十分な放電容量を確保できなくなる。
【００２２】
第１ＳＯＣと第２ＳＯＣとの差は、例えば、１０〜５０％、好ましくは１５〜４０％、さらに好ましくは１８〜３５％である。
【００２３】
ＳＯＣは、アルカリ蓄電池を流れる電流の積算値に基づいて算出できる。理論的には、ＳＯＣは、下記式（１）により算出することができる。
ＳＯＣ（％）＝（Ｑ／ＦＣＣ）×１００  （１）
ここで、Ｑは、アルカリ蓄電池の充電電気量を示し、充電電流Ｉｃを充電時間について積算することにより算出される。より具体的には、充電電気量Ｑは、充電電流Ｉｃを、継続的に、例えば、単位時間毎に積算することにより算出できる。充電電気量Ｑの算出では、充電電流Ｉｃが充電方向（＋）を示す場合、通常、充電電流Ｉｃに、充電効率（１よりも小さい正の係数）を乗じた値を、充電時間について積算する。なお、放電時のＳＯＣも、上記に準じて、放電電流Ｉｄを放電時間について積算することにより算出できる。
【００２４】
式（１）において、ＦＣＣは、アルカリ蓄電池の満充電容量を示す。劣化していない初期状態のアルカリ蓄電池では、ＦＣＣは、理論電気容量Ｑｓ（公称容量）に等しい。使用に伴い劣化すると、ＦＣＣは減少し、理論電気容量Ｑｓより少なくなる。なお、理論電気容量Ｑｓは、アルカリ蓄電池の電極に用いられている活物質の組成と、その活物質の量とによって決まるアルカリ蓄電池の理論上の電池容量である。ＦＣＣは、例えば、アルカリ蓄電池を、満充電状態から所定の放電終止電圧になるまで放電されたときに、アルカリ電池の放電電流Ｉｄを検出し、充電電気量Ｑの場合と同様に、単位時間毎に積算することにより得られ、満充電状態から完全放電までの放電電荷量に相当する。例えば、放電電流Ｉｄを逐次または断続的に測定し、放電時間の変化を反映させることにより、ＦＣＣを補正してもよい。
【００２５】
本発明では、ＳＯＣに基づいて、アルカリ蓄電池の充放電を制御する。ＳＯＣは、アルカリ蓄電池の電流の積算値に基づいて判定できる。その際、ＳＯＣと電流の積算値との関係を表す関数（例えば、式（１）など）を設定しておく。関数は、必要に応じて、アルカリ蓄電池の電圧および／または温度などを参照して、適宜、補正してもよい。
【００２６】
ＳＯＣは、電池電圧に基づいて判定することもできる。例えば、予め、ＳＯＣと、電池電圧との関係を示す関数を設定しておき、アルカリ蓄電池の端子間電圧を検出し、検出された電圧値と、前記関数とに基づいて、電圧値に対応するＳＯＣを算出することができる。関数は、必要に応じて、電池温度および／または電池に流れる電流などを参照して、適宜補正してもよい。
【００２７】
例えば、電圧値に基づいて、ＳＯＣを判定する場合、工程（i）において、電池電圧が第１ＳＯＣに対応する上限電圧に達するまで、アルカリ蓄電池を充電することができる。工程（ii）において、電池電圧が、上限電圧よりも低く、かつ第２ＳＯＣに対応する待機電圧になるまで、アルカリ蓄電池を強制放電することができる。
【００２８】
本発明では、アルカリ蓄電池を出荷する前に、例えば、工程（i）および（ii）を経て、アルカリ蓄電池のＳＯＣを第２ＳＯＣに調節することができる。この場合、ユーザーがアルカリ蓄電池を使用する（負荷機器に電力供給を行う）までの間の、自己放電やメモリ効果の発生を防止することができる。
【００２９】
工程（iii）においては、待機中に、アルカリ蓄電池を微小電流で充電し、アルカリ蓄電池の自己放電を補ってもよい。自己放電を補う目的からは、待機中のＳＯＣは、第２ＳＯＣを超えないように調整するのが好ましい。微少電流での充電は、常時行うことが好ましい。この場合の電流値は、例えば、０．０１Ｉｔ〜０．１Ｉｔ、好ましくは０．０２Ｉｔ〜０．０５Ｉｔが好ましい。
【００３０】
また、工程（iii）においては、待機中に、アルカリ蓄電池を充電し、アルカリ蓄電池の自己放電を補ってもよい。例えば、待機中のアルカリ蓄電池のＳＯＣが、所定値未満（例えば、５０％未満）となった場合に、アルカリ蓄電池を充電してもよい。待機中のアルカリ蓄電池のＳＯＣを一旦増加させても、再度、自己放電によりＳＯＣは低下する。そのため、待機中の充電は、定期的に行うことが好ましい。
【００３１】
以下、本発明の実施形態について、図面を参照しながら説明する。
図１は、本発明の一実施形態に係るアルカリ蓄電池の充放電制御方法を説明するためのフローチャートである。図２は、本発明の充放電制御方法を実施するための充放電制御システムの一実施形態を示すブロック図である。
【００３２】
充放電制御システム１１は、アルカリ蓄電池１と、アルカリ蓄電池１の充放電を制御する制御ユニット２とを具備する。制御ユニット２は、負荷機器への電力供給を行う前に、（i）ＳＯＣが、第１ＳＯＣ充電状態に達するまでアルカリ蓄電池を充電し、（ii）充電を終了してから予め定められた時間以内に、ＳＯＣが、第２ＳＯＣになるまでアルカリ蓄電池を強制放電する。図２では、制御ユニット２は、さらに、（iii）強制放電を終了してからアルカリ蓄電池による負荷機器への接続または電力供給が行われるまでの間、アルカリ蓄電池を待機させる。
【００３３】
図２において、充放電制御システム１１は、制御ユニット２からの命令に基づいて、アルカリ蓄電池１の充電と、強制放電と、待機状態と、負荷機器への放電とを切り替えるための充放電制御回路３を有する。充放電制御システム１１は、さらに、アルカリ蓄電池１に流れる電流（充電電流および放電電流）を検出するための電流センサ４および／またはアルカリ蓄電池の端子間電圧を検出するための電圧センサ５を具備してもよい。アルカリ蓄電池１に対して、電流センサ４は直列に接続し、電圧センサ５は並列に接続する。充放電制御システムは、必要に応じて、電池温度を検出するための温度センサ６を有する。各センサで検出された検出値は、それぞれ、電気信号として制御ユニット２に送られる。データの検出は、逐次または間欠的に行ってもよい。
【００３４】
充放電制御システム１１には、必要に応じて、充電開始および／または放電開始からの時間を計測するための時間計測ユニット７も配設できる。時間計測ユニット７で計測された時間ｔは、電気信号として、逐次、制御ユニット２に送られる。時間計測ユニット７では、充電の停止、もしくは放電または待機の開始または停止からの時間を計測してもよい。
各センサや時間計測ユニット７は、制御ユニット２が有していてもよい。
【００３５】
図２では、充放電制御回路３は、外部電源８および負荷機器１０と接続している。充放電制御回路３は、外部電源８からアルカリ蓄電池１に電流を供給するための充電回路３ｂと、アルカリ蓄電池１から強制的に放電を行うための、負荷９（ランプなど）に接続した強制放電回路３ｃと、負荷機器１０に電力供給を行うための放電回路３ｄと、これらの回路の接続を切り替えるためのスイッチ３ａとを有している。充放電制御回路３は、電流センサ４を介して、アルカリ蓄電池１と接続している。なお、充放電制御回路、またはこれに含まれる各回路やスイッチは、制御ユニットが有していてもよい。
【００３６】
制御ユニット２は、具体的には、第１ＳＯＣ、第２ＳＯＣなどの各種情報を格納するための記憶部と、記憶部の情報に基づいて各種演算を行うことによりＳＯＣを判定するための判定部とを有する。記憶部は、例えば、所定の制御プログラムが記憶された不揮発性のＲＯＭ（Read Only Memory）、データを一時的に記憶するＲＡＭ（Random Access Memory）などを含む。判定部は、所定の演算を実行するＣＰＵ（Central Processing Unit：中央処理装置）またはＭＰＵ（Micro Processing Unit：マイクロプロセッサ）、および各種周辺回路（例えば、ワイヤードロジック回路、マイクロコードなどの論理回路など）などを含む。
【００３７】
制御ユニット２の記憶部には、第１ＳＯＣおよび第２ＳＯＣの値、ＳＯＣと、電流の積算値または電池電圧と、必要により電池温度との関係を表す関数、充電停止から強制放電を開始するまでの時間などが格納される。また、充電開始からの時間ｔ１、放電開始からの時間ｔ２、各センサから送られる検出値などの他、アルカリ蓄電池１の公称容量などを格納することもできる。ＳＯＣの判定を、電池電圧に基づいて行う場合には、第１ＳＯＣおよび第２ＳＯＣの値に代えて、これらのＳＯＣに対応する電池電圧（つまり、上限電圧および待機電圧）を、記憶部に格納してもよい。記憶部は、さらに、各センサ４〜６、時間計測ユニット７などからの検出値、制御ユニット２での演算結果などを、格納することができる。制御ユニット２による演算結果を記憶部に格納する場合、定期的に演算結果を格納することにより、記憶部の情報を、最新の情報に定期的に更新してもよい。
【００３８】
制御ユニット２は、記憶部に格納された種々の情報に基づいて、ＳＯＣの判定に必要な演算を行う。制御ユニットは、例えば、前記関数、各センサ４〜６および時間計測ユニット７などからの検出値に基づいて、ＳＯＣを算出する。制御ユニット２では、各センサ４〜６や時間計測ユニット７によるデータの検出と連動して、逐次または間欠的に、演算を行うことができる。
【００３９】
制御ユニット２は、例えば、算出したＳＯＣと、記憶部に格納された第１ＳＯＣおよび第２ＳＯＣとを比較し、一定の条件を満たすか否かを判断する。そして、比較結果に基づいて、充放電制御回路３に信号を送り、充放電制御回路３により、アルカリ蓄電池１の充放電を制御する。
【００４０】
制御ユニット２では、電流センサ４で検出された電流値および時間計測ユニット７で計測された充電開始からの時間ｔ１または放電開始からの時間ｔ２に基づいて算出される電流の積算値、または電圧センサ５により検出された電圧値に基づいて、アルカリ蓄電池１のＳＯＣを算出する。また、これに代えて、制御ユニット２では、電池と、ＳＯＣなどとの関係を表す関数を参照して、第１ＳＯＣおよび第２ＳＯＣに対応する電圧値を算出し、算出された電圧値と、センサで検出された電圧値とを比較してもよい。
【００４１】
次に、本発明の充放電制御方法の一例について、図１のフローチャートを参照しながら説明する。
スイッチ３ａを切り替えることにより、充放電制御システム１１の充電回路３ｂと外部電源８とを接続し、充放電制御システム１１にセットされたアルカリ蓄電池１の充電を開始する（Ｓ１）。充電の開始と同時に、充電開始からの時間ｔ１を計測する。計測された時間ｔ１は、常時、制御ユニット２の記憶部に送られる。次いで、制御ユニット２は、充電開始から時間ｔ１までの電流の積算値を算出する（Ｓ２）。電流の積算値は、電流センサ４により検出され、記憶部に送られた電流値を、時間毎に積算することにより算出される。
【００４２】
制御ユニット２は、記憶部から、電流の積算値とＳＯＣとの関係を表す関数を呼び出し、この関数にステップＳ２で算出した電流の積算値を代入することにより、時間ｔ１におけるＳＯＣt1を算出する（Ｓ３）。上記関数は、充電電気量、および満充電容量ＦＣＣなどに基づく関数であってもよい。また、上記関数は、必要に応じて、電圧センサ５で検出された電圧および／または温度センサ６で検出された電池温度により補正されたものであってもよい。
【００４３】
制御ユニット２は、記憶部から第１ＳＯＣを呼び出し、ＳＯＣt1と比較する（Ｓ４）。比較結果が、ＳＯＣt1≧第１ＳＯＣの条件を満たさない場合には、制御ユニット２は、充放電制御回路３に信号を送らないため、充電が継続される。そして、再度、制御ユニット２は、充電開始から時間ｔ１までの電流の積算値を算出し（Ｓ２）、算出された積算値に基づいてＳＯＣt1を算出する（Ｓ３）。比較結果が、ＳＯＣt1≧第１ＳＯＣの条件を満たす場合、制御ユニット２は、充放電制御回路３に信号を送る。充放電制御回路３は、制御ユニット２からの信号に基づいて、スイッチ３ａを切り替えることにより、アルカリ蓄電池１と充電回路３ｂとの接続を切断するとともに、アルカリ蓄電池１と強制放電回路３ｃとを接続する。これにより、アルカリ蓄電池１の充電が停止されるとともに、強制放電が開始される（Ｓ５）。強制放電を開始すると、アルカリ蓄電池１から、負荷９に電流が供給される。
【００４４】
ステップＳ２、Ｓ３およびＳ４は、ＳＯＣt1≧第１ＳＯＣの条件が充足されるまで、繰り返し実行される。各センサ４〜６および／または時間計測ユニット７から送られる検出値に基づいて、ＳＯＣt1を逐次的に演算または補正すると、判定精度が向上し、正確な充電停止時期を算出することができる。
【００４５】
充電の場合と同様に、強制放電中も、強制放電開始から時間ｔ２までの電流の積算値を算出する（Ｓ６）。次いで、制御ユニット２は、ステップＳ３と同様にして、時間ｔ２におけるＳＯＣt2を算出する（Ｓ７）。
【００４６】
制御ユニット２は、記憶部から第２ＳＯＣを呼び出し、ＳＯＣt2と比較する（Ｓ８）。比較結果が、ＳＯＣt2≦第２ＳＯＣの条件を満たす場合、制御ユニット２は、充放電制御回路３に信号を送る。充放電制御回路３は、制御ユニット２からの信号に基づいて、スイッチ３ａを、強制放電回路３ｃから、待機状態へ切り替える。これにより、強制放電が停止されるとともに、アルカリ蓄電池１の待機を開始する（Ｓ９）。
【００４７】
ステップＳ８でＳＯＣt2≦第２ＳＯＣの条件を満たさない場合、制御ユニット２は、充放電制御回路３に信号を送らないため、強制放電が継続される。そして、制御ユニット２により、継続して、強制放電開始から時間ｔ２までの電流の積算値が算出され（Ｓ６）、算出された積算値に基づいてＳＯＣt2が算出される（Ｓ７）。
【００４８】
ステップＳ６、Ｓ７およびＳ８は、ＳＯＣt2≦第２ＳＯＣの条件が充足されるまで、繰り返し実行される。各センサおよび時間計測ユニット７から送られる検出値に基づいて、ＳＯＣt2を逐次的に演算または補正すると、判定精度が向上し、正確な強制放電の停止時期を算出することができる。
【００４９】
アルカリ蓄電池の充電は、定電流充電および／または定電圧充電により行うことができる。充電は、アルカリ蓄電池を充放電制御システムにセットした状態で、充電回路を通じて、充放電制御システムと外部電源とを接続することにより、開始することができる。また、充放電制御システムと外部電源とを連結した状態で、使用者が充電開始信号を入力することにより、充電を開始してもよい。さらに、アルカリ蓄電池の電流の積算値を算出するか、または電圧を検出して、一度ＳＯＣを算出し、算出したＳＯＣが、所定値未満（例えば、ＳＯＣ５０％未満）である場合に、充電を自動的に開始してもよい。充電を開始するＳＯＣに対する電池電圧を予め算出して記憶部に格納しておき、アルカリ蓄電池の電圧の検出値が、格納した電圧値未満である場合に、充電を自動的に開始してもよい。
【００５０】
本発明では、充電の停止後、自己放電によりＳＯＣを低下させるのではなく、強制放電回路に接続した負荷に対して強制的に放電させることによりＳＯＣを所定範囲に制御する。そのため、充電停止から、強制放電の開始までの時間は、自己放電が無視できる範囲に設定するのが好ましい。充電停止から強制放電の開始までの時間は、例えば、６０秒以下、好ましくは２０秒以下、さらに好ましくは１０秒以下である。特に、充電停止と強制放電の開始とをスイッチの切り替えにより略同時に行うのが好ましい。
【００５１】
アルカリ蓄電池を、充電回路および強制放電回路の双方に対して電気的に中立な状態にすることにより、待機状態にすることができる。また、アルカリ蓄電池の接続を、強制放電回路から、他の回路、例えば、充電回路、放電回路などの他の回路に切り替えることにより待機状態にしてもよい。充電回路に切り替える場合には、通常、待機中のアルカリ蓄電池への充電を制御する。例えば、アルカリ蓄電池のＳＯＣの上限値および／または下限値、充電速度などを適宜設定して、自己放電による容量の減少を補ってもよい。充電回路に切り替える場合には、充電回路と外部電源との接続を切断することにより、アルカリ蓄電池を待機状態にしてもよい。放電回路に切り替える場合には、放電回路と負荷機器との間に、電力供給の開始および停止を切り替えるスイッチを配置し、このスイッチにより、アルカリ蓄電池の、待機状態から負荷機器への電力供給への切り替えを行ってもよい。
【００５２】
外部電源８は、充電期間以外は、充放電制御システム１１の充電回路３ｂに接続しておく必要はない。また、負荷機器１０は、充電および強制放電の期間中は、必ずしも、放電回路３ｄに接続しておく必要はない。アルカリ蓄電池１を待機状態に切り替えた後、負荷機器１０を、放電回路３ｄに連結することにより、アルカリ蓄電池１に接続させてもよい。待機状態のアルカリ蓄電池１は、スイッチ３ａの切り替えにより、負荷機器１０への電力供給を開始することができる。負荷機器１０と放電回路３ｄとの連結を検知し、この検知に基づいて、自動的にスイッチ３ａを切り替えることにより、負荷機器１０への電力供給を開始してもよい。
【００５３】
電流センサとしては、例えば、抵抗素子、電流変成器、アナログデジタルコンバータ、電流計などが例示できる。電流センサは、例えば、検出された電流が、アルカリ蓄電池を充電する電流である場合、電流値をプラスの値で示し、アルカリ蓄電池からの放電電流である場合、電流値をマイナスの値で示すように設定してもよい。また、必要に応じて、充電電流をマイナスの値で、放電電流をプラスの値で示すよう設定してもよい。
【００５４】
電圧センサとしては、例えば、アナログデジタルコンバータ、電圧計などが例示できる。
温度センサとしては、例えば、熱電対やサーミスタ、アナログデジタルコンバータなどが例示できる。
【００５５】
図３は、図１の変更例を示すフローチャートである。
図３では、ＳＯＣt1およびＳＯＣt2と第１ＳＯＣおよび第２ＳＯＣとの比較に代えて、充電開始からの時間ｔ１および放電開始からのｔ２における電池電圧Ｖt1およびＶt2と、上限電圧Ｖuおよび待機電圧Ｖwとを比較する。上限電圧Ｖuは、ＳＯＣが第１ＳＯＣであるときの電圧であり、待機電圧Ｖwは、ＳＯＣが第２ＳＯＣであるときの電圧である。なお、図１と同じステップには、同じ符号を付し、説明を省略している。
【００５６】
ステップＳ１で充電を開始した後、電圧センサ５により、充電開始からの時間ｔ１におけるアルカリ蓄電池１の端子間電圧Ｖt1を検出する（Ｓ１３）。検出された電圧Ｖt1は、制御ユニット２の記憶部に送られる。記憶部には、予め、上限電圧Ｖuおよび待機電圧Ｖwが格納されている。
【００５７】
制御ユニット２は、電圧Ｖt1と、上限電圧Ｖuとを記憶部から呼び出し、両者を比較する（Ｓ１４）。比較結果が、Ｖt1≧Ｖuの条件を満たす場合、制御ユニット２は、充放電制御回路３に信号を送る。制御ユニット２からの命令に基づいて、充放電制御回路３は、充電を停止し、強制放電を開始する（Ｓ５）。Ｖt1≧Ｖuの条件を満たさない場合、充電を継続し、再度、充電開始からの時間ｔ１における電池電圧Ｖt1を検出する（Ｓ１３）。ステップＳ１３およびＳ１４は、Ｖt1≧Ｖuの条件が充足されるまで、繰り返し実行される。
【００５８】
ステップＳ５で強制放電を開始した後も、放電中と同様に、電圧センサ５により、強制放電開始からの時間ｔ２におけるアルカリ蓄電池１の端子間電圧Ｖt2が検出される（Ｓ１７）。検出された電圧Ｖt2は、制御ユニット２の記憶部に送られる。制御ユニット２は、記憶部から、Ｖt2と、予め格納されたＶwとを呼び出し、両者を比較する（Ｓ１８）。比較結果が、Ｖt2≦Ｖwの条件を満たさない場合には、強制放電を継続し、再度、電池電圧Ｖt2を検出する（Ｓ１７）。Ｖt2≦Ｖwの条件を満たす場合、制御ユニット２は、充放電制御回路３に信号を送る。充放電制御回路３は、制御ユニット２からの信号に基づいて、スイッチ３ａを切り替えることにより、強制放電を停止するとともに、アルカリ蓄電池１を待機状態にする（Ｓ９）。
ステップＳ１７およびＳ１８は、Ｖt2≦Ｖwの条件が充足されるまで、繰り返し実行される。
【００５９】
本発明の充放電制御方法および充放電制御システムは、公知のアルカリ蓄電池に適用できる。このようなアルカリ蓄電池としては、具体的には、ニッケルカドミウム蓄電池、ニッケル水素蓄電池が挙げられる。特に、ニッケル水素蓄電池に適用するのが好ましい。
アルカリ蓄電池は、複数のセルを用いた組電池であってもよい。
【００６０】
アルカリ蓄電池は、正極と、負極と、これらを隔離するセパレータとを有し、これらが、アルカリ電解液とともに、電池ケースに収容されている。正極および負極は、それぞれ、活物質を含む。正極および負極は、芯材と、これに付着した活物質または活物質層とを有してもよい。また、正極および負極は、活物質粉末を焼結した電極であってもよい。
【００６１】
正極芯材としては、公知のものが使用でき、ニッケル発泡体、焼結ニッケル板などのニッケルまたはニッケル合金などで形成された多孔性基板が例示できる。負極芯材としては、公知のものが使用でき、ステンレス鋼、ニッケルまたはその合金などで形成された基板が例示できる。正極活物質としては、通常、水酸化ニッケルなどのニッケル化合物が使用される。負極活物質としては、電池の種類に応じて公知のものが使用できる。例えば、ニッケルカドミウム蓄電池では、カドミウム化合物が使用できる。また、ニッケル水素蓄電池では、負極活物質として、水素吸蔵合金が使用できる。芯材が多孔性基板の場合、活物質は、芯材の空孔に充填されていてもよい。
【００６２】
セパレータとしては、ポリエチレンやポリプロピレンなどのポリオレフィン製の微多孔フィルムや不織布などが使用できる。
電解液としては、水酸化カリウム水溶液などのアルカリ水溶液が使用できる。
【実施例】
【００６３】
実施例１
アルカリ蓄電池の一例として、ニッケル水素蓄電池を作製し、メモリ効果における、本発明による抑制効果を確認した。
【００６４】
（１）ニッケル水素蓄電池の作製
（ａ）電極群の作製
水酸化ニッケルに、水酸化コバルト、カルボキシメチルセルロース（エーテル化度０．７、重合度１６００）およびポリテトラフルオロエチレンを加え、さらに水を添加して混合し、正極合剤ペーストを得た。このペーストを、ニッケル発泡体で形成された芯材の両表面にすり込むことにより、芯材内の空孔に充填した。ペーストの塗膜は、乾燥後、芯材とともにローラでプレスした。こうして、厚み０．７ｍｍ、幅３５ｍｍ、長さ１１０ｍｍ、容量１５００ｍＡｈの正極を得た。芯材内のペーストが充填されていない箇所に、ニッケル製の正極リードを溶接した。
【００６５】
負極には、ＬｍＮｉ5系（ここでＬｍは軽希土類元素すなわちＬａ、Ｎｄ、Ｃｅ、Ｐｒからなる混合物を示す）の水素吸蔵合金を使用し、これに、結着剤および水を加えて混合した。得られた混合物を、パンチングメタル基板に塗布し、乾燥後、圧延した。負極は、厚み０．４ｍｍ、幅３５ｍｍおよび長さ１５０ｍｍを有し、容量が２２００ｍＡｈであった。
【００６６】
正極と負極とを、一対のセパレータで隔離して捲回し、円柱状の電極群を作製した。セパレータとしては、親水化処理が施されたポリプロピレン製の不織布を用いた。不織布は、幅４０ｍｍ、長さ２５０ｍｍ、厚み０．２５ｍｍであり、目付量は７０ｇ／ｍ2であった。
【００６７】
（ｂ）電池の組み立て
得られた電極群を用いて、４／５Ａサイズで公称容量（理論電気容量）１５００ｍＡｈのニッケル水素蓄電池を、下記の手順で組み立てた。
【００６８】
電池ケースとして、直径が１５ｍｍである円筒型の金属缶を用いた。金属缶は、鉄製の缶の表面にニッケルメッキを施したものであって、厚みは０．６ｍｍであった。
【００６９】
電池ケースの底にリング状の負極側絶縁板を配置した後、電極群を電池ケース内に収容し、電極群の上に正極側絶縁板を配置した。次いで、正極リードを、封口体の電池内部側に配置される表面に溶接した。封口体の外周縁にはガスケットを配置した。続いて、電池ケースの開口端側の外周を、電極群の上端と、封口体の設置位置との間において内方に窪ませることにより、溝部を設けた。
【００７０】
さらに、アルカリ電解液として、水酸化カリウムを主な塩として含む水溶液を注入した後、電池ケースの開口部を、封口板で、かしめ封口することにより密閉し、ニッケル水素蓄電池を作製した。
【００７１】
（２）メモリ効果の確認
図１に示すフローに従って、（１）で作製したニッケル水素蓄電池を充電した。具体的には、ニッケル水素蓄電池を、２５℃雰囲気下、１Ｉｔ（１５００ｍＡ）の電流で充電し、ＳＯＣ１００％に達した時点で充電を停止した。充電停止後、１０秒以内に、１Ｉｔの電流で、負荷としてのランプに対して強制放電を開始し、表１に示すＳＯＣ値になった時点で強制放電を停止した。放電停止後、速やかに、ニッケル水素蓄電池を、４５℃雰囲気下の保存室に移し、７日間待機させた。なお、表１に示すＳＯＣ値が１００％の電池は、ＳＯＣ１００％まで充電した後、強制放電を行うことなく、速やかに、４５℃雰囲気下の保存室に移し、７日間待機させたものである。
【００７２】
待機後の電池を、２５℃雰囲気下、１Ｉｔの電流で、電池電圧が１Ｖに達するまで、電子負荷機器で放電した。メモリ効果を確認するため、次いで、２５℃雰囲気下、１Ｉｔの電流で、電池を、ＳＯＣ１００％になるまで充電し、さらに１Ｉｔの電流で、電子負荷機器で放電し、電池電圧が１Ｖになるまでの時間を計測した。この時間に基づいて、さらに放電容量Ｃｍを算出した。このようにして得られた放電容量Ｃｍを、表１に示した。
【００７３】
【表１】
2012135114.tif 000003
【００７４】
電池Ｂ〜Ｆの放電容量Ｃｍは、理論電池容量と同じか、理論電池容量との差は、５０ｍＡｈとごくわずかであった。これらの結果から、待機前のＳＯＣを所定範囲に調整すると、放電深度が浅いにもかかわらず、メモリ効果が確認されないことが明らかとなった。一方、満充電の状態で待機させた電池Ｇでは、放電容量Ｃｍは、理論電池容量１５００ｍＡｈよりも、１５０ｍＡｈも小さくなった。また、待機前のＳＯＣを４０％に設定した電池Ａでは、放電容量Ｃｍは、理論電池容量１５００ｍＡｈより、２００ｍＡｈも小さくなった。これらの結果から、ＳＯＣ５０〜９０％で待機させたニッケル水素蓄電池は、ＳＯＣ４０％またはＳＯＣ１００％で待機させた電池に比べ、メモリ効果が有効に抑制され、高い放電容量が得られることが明らかとなった。
【産業上の利用可能性】
【００７５】
本発明の充放電制御方法および充放電制御システムは、簡便な方法により、メモリ効果を抑制できるため、各種用途に使用されるアルカリ蓄電池の充放電に有用である。具体的には、アルカリ蓄電池の利点であるタフユース（車両用電源、バックアップ電源、家庭用コージェネレーション、産業用電源システム）用途、太陽光発電システム、ＵＰＳなどのバックアップ電源の他、携帯型パーソナルコンピュータ、デジタルカメラ、携帯電話機、車両用電源（ＥＶ、ＨＥＶ、ＰＨＥＶなど）などの各種機器の駆動用電源、システムなどの充電制御回路を含む電源システムなどが挙げられる。
【００７６】
本発明では、アルカリ蓄電池におけるメモリ効果の発生を抑制できる。また、自己放電を低減することもできる。そのため、本発明は、常にある程度の電気容量を確保する必要のある各種電源用途、例えば、ＵＳＰなどのバックアップ電源、ＰＨＥＶ用の電源などの用途に使用されるアルカリ蓄電池の充電に有用である。
【符号の説明】
【００７７】
１  アルカリ蓄電池
２  制御ユニット
３  充放電制御回路
３ａ  スイッチ
３ｂ  充電回路
３ｃ  強制放電回路
３ｄ  放電回路
４  電流センサ
５  電圧センサ
６  温度センサ
７  時間計測ユニット
８  外部電源
９  負荷
１０  負荷機器
１１  充放電制御システム
【図１】
2012135114.tif 000004
【図２】
2012135114.tif 000005
【図３】
2012135114.tif 000006